(57)【特許請求の範囲】
【請求項１】
上部に配設された機器本体を支えるとともに床面に据え置かれる機器用スタンドであって、
外周部に下向きに突設されて床面に当接される外縁部と、
該外縁部の内側に形成された底面空間と、
該底面空間の内部天井の適位置に垂設されて下面が据え置かれる床面と略水平であるとともに下面と前記床面の間に所定間隔を隔てて形成された押圧子と、
を備え、前記押圧子と前記床面の間に、前記所定間隔よりもやや大きい厚みからなる粘着ゲルを挟圧させることを特徴とした機器用スタンド。
【請求項２】
請求項１に記載の機器用スタンドにおいて、
前記押圧子は、前記底面空間内に適間隔を隔てて３個または４個配設されたことを特徴とする機器用スタンド。
【請求項３】
請求項２に記載の機器用スタンドにおいて、
前記押圧子は、前記外縁部の近傍に配設されたことを特徴とする機器用スタンド。
【請求項４】
請求項１乃至３のいずれか１項に記載の機器用スタンドにおいて、
前記押圧子の下面と前記底面空間の天井のレベルを同一としたことを特徴とする機器用スタンド。
【請求項５】
請求項１乃至４のいずれか１項に記載の機器用スタンドにおいて、
前記押圧子の下面外周に縁部を垂設したことを特徴とする機器用スタンド。
【請求項６】
請求項１乃至５のいずれか１項に記載の機器用スタンドを備えたことを特徴とする薄型テレビ。
【発明の詳細な説明】
【技術分野】
【０００１】
本発明は、薄型テレビ等の機器を支持する機器用スタンドおよびその機器用スタンドを備えた薄型テレビに関する。
【背景技術】
【０００２】
従来、薄型テレビ等の機器を支える機器用スタンドは、少ない接地面積で安定して、機器を支持できるようにしている。例えば、特許文献１に記載の「テレビジョン受信機の荷重支持方法と荷重支持体取り付け装置」は、テレビジョン受像機等の重量物に取付け、対転倒力向上を図るため、荷重支持体１と支持体ベース２をバネで連結することで、重量物を転倒させようとする力が作用した場合のみ支持体ベースが傾き、転倒に対してより有利な位置で荷重を受けることで対転倒力の向上を図っている。
【特許文献１】特開平５−２１９４６０号公報
【発明の開示】
【発明が解決しようとする課題】
【０００３】
しかしながら、上述した特許文献１に記載の「テレビジョン受信機の荷重支持方法と荷重支持体取り付け装置」は、機構が複雑で部品点数が多く、その分、コスト高となり実用性に乏しかった。そこで、本発明は、簡単な構造でテレビ等の機器の転倒を防止することのできる機器用スタンドを提供することを目的とした。
【課題を解決するための手段】
【０００４】
上記課題を解決するために、本発明の機器用スタンドは、上部に配設された機器本体を支えるとともに床面に据え置かれる機器用スタンドであって、外周部に下向きに突設されて床面に当接される外縁部と、該外縁部の内側に形成された底面空間と、該底面空間の内部天井の適位置に垂設されて下面が据え置かれる床面と略水平であるとともに下面と前記床面の間に所定間隔を隔てて形成された押圧子とを備え、前記押圧子と前記床面の間に、前記所定間隔よりもやや大きい厚みからなる粘着ゲルを挟圧させることを特徴とした。ここで、前記押圧子は、前記底面空間内に適間隔を隔てて３個または４個配設することが好ましい。また、前記押圧子は、前記外縁部の近傍に配設することが好ましい。さらに、前記押圧子の下面と前記底面空間の天井のレベルを同一とすることも可能である。またさらに、前記押圧子の下面外周に縁部を垂設することも可能である。また、本発明の薄型テレビは、前記いずれかの機器用スタンドを備えたことを特徴とする。
【発明の効果】
【０００５】
以上述べたように本発明によれば、機器用スタンドの底面に粘着ゲルを挟圧して、機器用スタンドの荷重を支えるようにしたため、機器用スタンドに加えられる外力、衝撃、振動等を吸収して、機器用スタンドに支持されている薄型テレビ等の機器にそれらが伝わることを防ぎ、転倒を防止し、安定して機器を支持することが可能となる。
【発明を実施するための最良の形態】
【０００６】
以下、図に基づいて本発明を液晶テレビに適用した実施形態について説明する。図１〜図３は液晶テレビの外観図であり、図４，５は液晶テレビの内部構成概要図であり、図６および図７はスタンドの第１の実施形態を示す縦断面図であり、図８はスタンドの第２の実施形態を示す縦断面図であり、図９はスタンドの第３の実施形態を示す縦断面図であり、図１０は他の機器用のスタンドの第４の実施形態を示す斜視図である。図１〜図３において、１００は画像表示を行う液晶パネル、１０１は前キャビネット、１０２は後ろキャビネット、１０３は液晶テレビ本体の操作ボタン類、１０４はスピーカー、１０５はスタンドである。
【０００７】
次に、図４、５に基づいて液晶テレビの内部構成を説明する。液晶パネル１００は保持金具に保持され液晶パネルユニット１１０を構成し、その背面には反射／偏光シートやプリズムシートや拡散シートや拡散板などで構成する光学シート１１１がシート押えアングル１１２に保持され配置されている。バックライトシャーシ１１７の液晶パネル１００側には反射シート１１６が図示しないランプクリップで固定され、反射シート１１６の前面には、ランプホルダ上１１３とランプホルダ下１１４にて両端を固定された複数本のランプ１１５が配置されている。
【０００８】
この部分の組み立て手順としては、バックライトシャーシ１１７の液晶パネル１００側にランプクリップにて反射シート１１６を固定した後にランプホルダ下１１４を、反射シート１１６を挟んでバックライトシャーシ１１７に固定する。次にランプ１１５をランプホルダ下１１４に所定間隔で設けられたランプ固定溝に左右の位置を合わせて配置した後、ランプホルダ上１１３を位置合わせの後にランプ１１５の両端部を被せ、ランプホルダ上１１３とランプホルダ下１１４を固定することで、光源部分が完成する。
【０００９】
次に、光学シート１１１が保持されたシート押えアングル１１２をバックライトシャーシ１１７にビス固定しその後に、事前に前キャビネット１０１に固定されている液晶パネルユニット１１０とバックライトシャーシ１１７とをビス固定することで、液晶テレビの表示光学系が前キャビネット１０１付きで完成する。バックライトシャーシ１１７の背面(液晶パネル１００とは反対の面) には液晶パネル１００の駆動回路ユニットや、ランプ１１５の駆動回路ユニットや、映像や音声信号の受信回路ユニットや信号処理回路ユニットなどの液晶テレビの駆動や各種制御のためのユニットが搭載され、これら一連の手順で構成された液晶テレビユニットを後キャビネット１０２で被い前キャビネット１０１とビス止め固定することで、液晶テレビ本体が完成する。
【００１０】
次に、図６および図７に基づいて、スタンドの第１の実施形態について説明する。スタンド１０５は、軽金属のダイキャストまたは樹脂成形等により形成され、下面内側に空間１が形成されて、その外周部が下方に突出して外縁部２が形成されている。空間１の天井部分であって、水平方向外側寄りの位置に押圧子３が垂設されている。押圧子３の下面は、
スタンド１０５が据え置かれる床面Ｆのレベルすなわち外縁部２の先端レベルと平行であって、床面Ｆのレベルとの間に間隔ｓが形成されている。図６および図７では、押圧子３が左右の２箇所に設けられているように示されているが、実際は、スタンド１０５の下面四隅に設けられている。
【００１１】
スタンド１０５を設置する場合は、この押圧子３の下面に、下面と略同じ大きさで、厚みｔが、間隔ｓよりも大きい粘着ゲル４を貼着した後、スタンド１０５を床面Ｆに据え置く。すると、粘着ゲル４には、押圧子３を介して垂直荷重が加えられ、厚み方向に圧縮されて、ｔ寸法からｓ寸法まで縮む。その状態が図７である。その結果、スタンド１０５に加えられる液晶テレビの重量は、床面に対して、スタンド１０５の外縁部２の先端と、押圧子３の下面とで分担して支えられるか、あるいは粘着ゲル４のみにより支えられる。そのため、粘着ゲル４の吸着力により、押圧子３の下面は強固に床面に支持される。なお、厚みｔと間隔ｓとの差は、薄型テレビのスタンドの場合では２〜４ｍｍ程度が適当である。
【００１２】
ここで、粘着ゲル４の厚みｔが大きく間隔ｓが小さい程、また、押圧子３下面と粘着ゲル４の接触面積が大きい程、さらには、押圧子３の数が大きい程、押圧子３への荷重が大きくなり、より安定して、スタンド１０５が床に支持されることになる。それにより、スタンド１０５に対して、水平方向の外力、衝撃、振動等が加えられても、それらは粘着ゲル４により吸収されて、スタンド１０５は安定し、転倒することが防止される。
【００１３】
次に、図８に基づいて、スタンドの第２の実施形態について説明する。この第２の実施形態は、第１の実施形態の押圧子３の下面の外縁部２の内側全面を高さｓの押圧子５としたものである。この実施形態では、外縁部２の内側であれば、どこにでも粘着ゲル４を配置できるとともに、設置する数も制限されることなく、最大で、押圧子５の下面の広さのシート状の粘着ゲル４を配置できる。この実施形態は、スタンド１０５が支える重量が特に大きいために粘着ゲル４の個数を多くしたりする場合や、スタンドの移動や位置替えが時々または頻繁に行われるため粘着ゲル４の位置決めを簡単にしたい場合等に用いられる。
【００１４】
次に、図９に基づいて、スタンドの第３の実施形態について説明する。この第３の実施形態は、第１の実施形態の押圧子３の下面の外周に縁部６を垂設したものであり、縁部６下端のレベルは、外縁部２の先端レベルよりも上位である。この縁部６は、押圧子３の下面の外周に連続させて設けなくて、部分的に設けても良い。この実施形態では、粘着ゲル４が、縁部６により、水平方向の位置決めがなされるため、スタンドの移動や位置替えが時々または頻繁に行われて粘着ゲル４の位置がずれて移動しやすい場合に用いられる。
【００１５】
次に、図１０に基づいて、液晶テレビ以外の他の機器用スタンドについての第４の実施形態について説明する。このスタンド１１は、床面に当接される部分が四角形の箱状に形成されて下面が  開口されている。外周を取り巻く外縁部１２の内側には、空間１３が形成され、その内側の四隅近傍に、それぞれ押圧子１４が垂設されている。押圧子１４の下面のレベルは、外縁部１２の先端レベルよりも上位である。この押圧子１４の下面に、粘着ゲル１５が貼着され、粘着ゲル１５の下面のレベルは、床に据え置く前の段階で、外縁部１２の先端レベルよりも下位である。
【００１６】
すなわち、粘着ゲル１５の下面の突出した分が、スタンド１１が据え置かれたとき圧縮されて変形される寸法となる。この実施形態も、上述した実施形態と同じく、スタンド１１に加えられた荷重が、外縁部１２の先端と粘着ゲル１５とにより分担して支えられるか、あるいは粘着ゲル１５のみにより支えられる。そのため、粘着ゲル１５の吸着力により、押圧子１４の下面は強固に床面に支持される。それにより、スタンド１１に対して、水平方向の外力、衝撃、振動等が加えられても、それらは粘着ゲル１５により吸収されて、スタンド１１は安定し、転倒することが防止される。
【００１７】
図示例では、スタンド１１の平面形状が四角形であるため、粘着ゲル１５はその四隅近傍に４個配置されたが、スタンド１１の平面形状が円形である場合は、外周近傍に等間隔で最低３箇所に粘着ゲルを配置すれば良い。上述した各実施形態における粘着ゲル４，１５は、工場出荷時に、押圧子３，１４に予め貼着しておいても良いし、または、粘着ゲル４，１５を部品単品で機器の梱包に同梱しておいて、ユーザが必要な場合のみ、スタンド設置時に押圧子３，１４に貼着するようにしても良い。
【図面の簡単な説明】
【００１８】
【図１】本発明が適用される液晶テレビの外観図である。
【図２】本発明が適用される液晶テレビの外観図である。
【図３】本発明が適用される液晶テレビの外観図である。
【図４】本発明が適用される液晶テレビの内部構成概要図である。
【図５】本発明が適用される液晶テレビの内部構成概要図である。
【図６】本発明の液晶テレビ用スタンドの第１の実施形態を示す縦断面図である。
【図７】本発明の液晶テレビ用スタンドの第１の実施形態を示す縦断面図である。
【図８】本発明の液晶テレビ用スタンドの第２の実施形態を示す縦断面図である。
【図９】本発明の液晶テレビ用スタンドの第３の実施形態を示す縦断面図である。
【図１０】本発明の他の機器用スタンドの第４の実施形態を示す縦断面図である。
【符号の説明】
【００１９】
１  空間
２  外縁部
３  押圧子
４  粘着ゲル
５  押圧子
６  縁部
１１  スタンド
１２  外縁部
１３  空間
１４  押圧子
１５  粘着ゲル
１００  液晶パネル
１０１  前キャビネット
１０２  後ろキャビネット
１０３  操作ボタン類
１０４  スピーカー
１０５  スタンド
１１０  液晶パネルユニット
１１１  光学シート
１１２  シート押えアングル
１１３  ランプホルダ上
１１４  ランプホルダ下
１１５  ランプ
１１６  反射シート
１１７  バックライトシャーシ
Ｆ  床面
【図１】
0004551358.tif 000002
【図２】
0004551358.tif 000003
【図３】
0004551358.tif 000004
【図４】
0004551358.tif 000005
【図５】
0004551358.tif 000006
【図６】
0004551358.tif 000007
【図７】
0004551358.tif 000008
【図８】
0004551358.tif 000009
【図９】
0004551358.tif 000010
【図１０】
0004551358.tif 000011